(57)【要約】【課題】  構造的な強度を高めて，外力による被害を最小化することができるプラズマディスプレイパネルを提供する。【解決手段】  本発明のプラズマディスプレイパネルは，任意の間隔をおいて実質的に平行に配置され，表示領域および非表示領域が設定される第１基板および第２基板と，第１基板上に形成され，誘電層で覆われる複数のアドレス電極と，両基板間に配置され，放電空間を形成するメイン隔壁と，放電空間内に形成される蛍光層と，第１基板に対向する第２基板の一面に形成され，誘電層で覆われる複数の放電維持電極と，基板の外側に向かって曲がった少なくとも一つの曲がり部分を有し，表示領域の縁を囲んでメイン隔壁に連結されて非表示領域に配置される強化用隔壁とを含む。【選択図】    図４
2004319486.tif 000002
【特許請求の範囲】
【請求項１】
任意の間隔をおいて略平行に配置され，表示領域および非表示領域が設定される第１基板および第２基板と；
前記第１基板上に形成され，誘電層で覆われる複数のアドレス電極と；
前記第１基板と前記第２基板とのの間に配置され，放電空間を形成するメイン隔壁と；
前記放電空間内に形成される蛍光層と；
前記第１基板に対向する前記第２基板の一面に形成され，誘電層で覆われる複数の放電維持電極と；
前記第１基板および前記第２基板の外側に向かって凸に曲がった少なくとも一つの曲がり部分を外郭形状として有し，前記表示領域の縁を囲んで前記メイン隔壁に連結されて前記非表示領域に配置される強化用隔壁と；を含むことを特徴とする，プラズマディスプレイパネル。
【請求項２】
前記強化用隔壁が，前記表示領域が有する縁のうちの少なくとも一つの縁を囲んで形成されることを特徴とする，請求項１に記載のプラズマディスプレイパネル。
【請求項３】
前記強化用隔壁が前記表示領域の四つの縁を囲んで形成されることを特徴とする，請求項１または２のいずれかに記載のプラズマディスプレイパネル。
【請求項４】
前記強化用隔壁の厚みと前記メイン隔壁の厚みとが略同一であることを特徴とする，請求項１，２または３のいずれかに記載のプラズマディスプレイパネル。
【請求項５】
前記強化用隔壁が，その中央部から両周辺部へ行くに従い，その幅が小さく形成されることを特徴とする，請求項１，２，３または４のいずれかに記載のプラズマディスプレイパネル。
【請求項６】
前記強化用隔壁の外郭周辺の形状が円弧形状であることを特徴とする，請求項１，２，３，４または５のいずれかに記載のプラズマディスプレイパネル。
【請求項７】
前記強化用隔壁の外郭周辺の形状が，複数個の円弧を組み合わせた形状である請求項１，２，３，４，５または６のいずれかに記載のプラズマディスプレイパネル。
【請求項８】
前記強化用隔壁が，前記複数個の円弧に対応する部分の厚みを互いに異なるように形成されることを特徴とする，請求項１，２，３，４，５，６または７のいずれかに記載のプラズマディスプレイパネル。
【請求項９】
前記円弧に対応する部分のうちの厚みの薄い部分が，前記メイン隔壁の厚みより薄く形成されることを特徴とする，請求項１，２，３，４，５，６，７または８のいずれかに記載のプラズマディスプレイパネル。
【請求項１０】
前記複数個の円弧のうちの一つの円弧部分が，前記メイン隔壁によって形成される一つの放電空間に対応することを特徴とする，請求項１，２，３，４，５，６，７，８または９のいずれかに記載のプラズマディスプレイパネル。
【請求項１１】
前記複数個の円弧のうちの一つの円弧部分が，前記メイン隔壁によって形成される放電空間のうちの少なくとも２つ以上の空間に対応することを特徴とする，請求項１，２，３，４，５，６，７，８または９のいずれかに記載のプラズマディスプレイパネル。
【請求項１２】
互いに対向配置される第１基板および第２基板と；
前記第１基板に形成されるアドレス電極と；
前記第１基板および前記第２基板との間で，前記基板に設定される表示領域内に配置されて放電セルを形成するメイン隔壁と；
前記各々の放電セル内に形成される蛍光層と；
前記第２基板に形成される複数の放電維持電極と；
前記表示領域の少なくとも一側端部と対向する非表示領域内に配置されるダミー隔壁と；を含み，
前記ダミー隔壁が，前記メイン隔壁の端部と任意の間隔を維持しながら前記表示領域の一方向に沿って形成されるメインダミー隔壁と；前記メインダミー隔壁から前記メイン隔壁に向かって任意の曲率で延びて前記メイン隔壁に連結される連結ダミー隔壁と；を含む，プラズマディスプレイパネル。
【請求項１３】
前記ダミー隔壁が，前記表示領域を中心にこの表示領域の対向する両端部側に形成される非表示領域内に配置され，前記メインダミー隔壁が前記アドレス電極と直交する方向に沿って形成されることを特徴とする，請求項１２に記載のプラズマディスプレイパネル。
【請求項１４】
前記ダミー隔壁が，前記表示領域を中心にこの表示領域の対向する他の両端部側に形成される非表示領域内に配置され，前記メインダミー隔壁が前記アドレス電極と略平行な方向に沿って形成されることを特徴とする，請求項１２に記載のプラズマディスプレイパネル。
【請求項１５】
前記メインダミー隔壁が，複数の弧部が一列に組み合わされた形状からなることを特徴とする，請求項１２，１３または１４のいずれかに記載のプラズマディスプレイパネル。
【請求項１６】
前記弧部が前記基板の外側に向かって膨らんだ状態に配置されることを特徴とする，請求項１２，１３，１４または１５のいずれかに記載のプラズマディスプレイパネル。
【請求項１７】
前記弧部が前記連結ダミー隔壁と略同一の曲率で形成されることを特徴とする，請求項１２，１３，１４，１５または１６のいずれかに記載のプラズマディスプレイパネル。
【請求項１８】
前記メインダミー隔壁と連結ダミー隔壁とが組み合わされて一つの弧部を構成することを特徴とする，請求項１２，１３，１４，１５または１６のいずれかに記載のプラズマディスプレイパネル。
【請求項１９】
前記ダミー隔壁が，前記メイン隔壁と対向するメインダミー隔壁の一側に位置する補助ダミー隔壁をさらに含むことを特徴とする，請求項１２，１３，１４，１５，１６，１７または１８のいずれかに記載のプラズマディスプレイパネル。
【請求項２０】
前記メインダミー隔壁が複数の弧部が一列に組み合わされた形状に形成され，前記補助ダミー隔壁が，前記弧部と略同一な曲率で前記メイン隔壁に向かって延長された形状に構成されることを特徴とする，請求項１２，１３，１４，１５，１６，１７，１８または１９いずれかに記載のプラズマディスプレイパネル。
【請求項２１】
前記補助ダミー隔壁が，互いに隣接する２つの連結ダミー隔壁の間で一対に備えられることを特徴とする，請求項１２，１３，１４，１５，１６，１７，１８，１９または２０のいずれかに記載のプラズマディスプレイパネル。
【請求項２２】
前記メイン隔壁とダミー隔壁との間に分離隔壁が位置することを特徴とする，請求項１２，１３，１４，１５，１６，１７，１８，１９，２０または２１のいずれかに記載のプラズマディスプレイパネル。
【請求項２３】
前記分離隔壁が前記メインダミー隔壁と並んで配置されることを特徴とする，請求項１２，１３，１４，１５，１６，１７，１８，１９，２０，２１または２２のいずれかに記載のプラズマディスプレイパネル。
【請求項２４】
前記メイン隔壁が前記アドレス電極と平行な帯状パターンに形成されることを特徴とする，請求項１２，１３，１５，１６，１７，１８，１９，２０，２１，２２または２３のいずれかに記載のプラズマディスプレイパネル。
【請求項２５】
前記メイン隔壁が，前記アドレス電極と平行な方向の第１隔壁部材とアドレス電極と直交する方向の第２隔壁部材とを含む格子パターンに形成されることを特徴とする，請求項１２，１４，１５，１６，１７，１８，１９，２０，２１，２２または２３のいずれかに記載のプラズマディスプレイパネル。
【発明の詳細な説明】
【技術分野】
【０００１】
本発明はプラズマディスプレイパネルに係り，より詳しくは，プラズマディスプレイパネルの隔壁に関するものである。
【背景技術】
【０００２】
最近，壁掛け用テレビなどの大画面画像表示装置として脚光を浴びているプラズマディスプレイパネル（Ｐｌａｓｍａ  Ｄｉｓｐｌａｙ  Ｐａｎｅｌ；ＰＤＰ  以下，ＰＤＰとする）は，放電セル内で起こる放電メカニズムによって所望の画像を実現するディスプレイであって，このＰＤＰにおける放電セルは，任意の配列パターン（例えば，帯状または格子状）を有して基板上に位置する隔壁によって形成される。
【０００３】
一般に，ＰＤＰは，よく知られているように，その後面に複数の駆動回路基板を搭載するシャーシベースに支持され，このＰＤＰとシャーシベースの前方，後方に各々フロントキャビネット，バックカバーが位置し，ＰＤＰとシャーシベースを中心に，フロントキャビネットとバックカバーとが一体に組み立てられて画像表示装置の外形を構成する。
【０００４】
このようなＰＤＰを採用した画像表示装置は，厚みが薄くて重量が軽い長所がある反面，外力による衝撃や振動を受けるとこれに耐えられないため，ＰＤＰに曲がり現象やねじれ現象が発生するなど構造的に弱い短所を有している。
【０００５】
この理由は，ＰＤＰ画像表示装置において，シャーシベースが画像表示装置で発生する大部分の荷重とこれにともなう変形を支持する役割を果たすが，シャーシベースの構造強度にも一定の限界があるため，画像表示装置に過度な外力が印加されるとシャーシベースが外力をうまく分散させられなくなるからである。
【０００６】
これにより，外力が画像表示装置に伝達される場合，画像表示装置に加わった外力がＰＤＰ，特にＰＤＰ内部に設置された隔壁の一方の側に伝達されて基板や隔壁の破損を誘発し，破損した基板や隔壁の破片がＰＤＰ内部を浮遊するうちに放電セル内に流入して，当該放電セルで起こる放電機能に異常を起こしたりまたは停止させて，それによる異常放電により誘電体を破損させて装置の機能を失わせる恐れがある。
【０００７】
一方，ＰＤＰにおける隔壁は，基板上に実質的に画像を実現する表示領域内に位置するメイン隔壁と表示領域を囲む非表示領域内に位置するダミー隔壁とに分けられる。
【０００８】
図１６は，従来技術によるＰＤＰにおけるメイン隔壁とダミー隔壁とを示した概略図であり，図１７は，図１６のＡ−Ａ線の断面図である。図１６では，一例として，メイン隔壁１が帯状パターンに形成されることを示した。また，ダミー隔壁３は，メイン隔壁１の端部１ａと接しながらメイン隔壁１と直交する方向（図１６のＸ方向）に沿って形成されて，メイン隔壁１の端部１ａを連結する。
【０００９】
このようにメイン隔壁１とダミー隔壁３とからなる隔壁全体５は，通常スクリーン印刷法，サンドブラスト法，スクィージング（加圧成形）法，またはフォトプロセス法などで製造され，このうち焼成工程が必要な製造方法において隔壁ペーストは，一定のパターンにパターニングされて約４５０℃以上の高温で焼成する過程を経る。ここで，この焼成段階は，隔壁ペーストに含まれた不純物とバインダーなどを焼いて除去し，隔壁ペーストをさらに硬くして堅い隔壁を形成するためである。
【００１０】
上記焼成段階で隔壁ペーストが焼成される際，この隔壁ペーストは最初パターニングされた状態から収縮し，その収縮は最終的に形成された隔壁全体５の長さ方向（図１６のＹ方向）に生じる。
【００１１】
この収縮過程により，メイン隔壁１の端部１ａに対応するペースト部分は，表示領域内側に向かって収縮する力（図１６の矢印方向参考）を受けて表示領域内側に向かって動きながら収縮し，ダミー隔壁３に対応するペーストは，メイン隔壁１に対応するペーストの変形に抵抗しながら収縮する。
【００１２】
図１６では，便宜上，ダミー隔壁３の水平部分をａ領域，メイン隔壁１の端部１ａに連結されるダミー隔壁３の垂直部分をｂ領域，表示領域内に位置するメイン隔壁１の端部１ａ部分をｃ領域として表示すれば，メイン隔壁１に対応するペーストの収縮力とダミー隔壁３に対応するペーストの抵抗力とにより，ダミー隔壁３の垂直部分のｂ領域に対応するペーストが細く伸びて一定の深さに収縮し陥没した形状を有するようになる。図１７のダミー隔壁３の垂直部分において陥没した領域を符号７の曲線として示した。さらに，前記焼成過程において，メイン隔壁１とダミー隔壁３に対応するペーストが収縮しながら，図１８に示したように，ダミー隔壁３の分岐部がメイン隔壁１に向かって引張られて曲がる変形が起こり得る。
【００１３】
したがって，ＰＤＰが前記のような隔壁全体５の形状を有すると，メイン隔壁１とダミー隔壁３とが連結される部分の形状が不安定になって，図１９に示したように，最終に形成されたＰＤＰで隔壁全体５の上端と前面基板９との間に隙間１１が発生し，これにより前記ＰＤＰは，前面基板９と背面基板１３との間に振動が誘発されて騷音を起こし、その品質を損うだけでなく，構造的な安定性にも問題が生じることとなる。
【発明の開示】
【発明が解決しようとする課題】
【００１４】
本発明は，上記問題点を解決するためのものであって，その目的は，構造的な強度を高めて，外力による被害を最小化することができるプラズマディスプレイパネルを提供することにある。
【００１５】
また，本発明の目的は，隔壁の製造工程時に焼成工程による隔壁の形状変化を抑制し，隔壁の形状が均一に形成されるようにしたプラズマディスプレイパネルを提供することにある。
【００１６】
また，本発明の目的は，隔壁と基板との間に隙間ができないようにして，これより引き起こされる騷音を低減するようにしたプラズマディスプレイパネルを提供することにある。
【課題を解決するための手段】
【００１７】
上記課題を解決するために，本発明のある観点によれば，任意の間隔をおいて略平行に配置され，表示領域および非表示領域が設定される第１基板および第２基板と，第１基板上に形成され，誘電層で覆われる複数のアドレス電極と，基板の間に配置され，放電空間を形成するメイン隔壁と，放電空間内に形成される蛍光層と第１基板に対向する第２基板の一面に形成され，誘電層で覆われる複数の放電維持電極と，基板の外側に向かって曲がった少なくとも一つの曲がり部分を外郭形状として有し，表示領域の縁を囲んでメイン隔壁に連結されて非表示領域に配置される強化用隔壁とを含むプラズマディスプレイパネルが提供される。
【００１８】
上記強化用隔壁は，上記表示領域が有する縁のうちの少なくとも一つの縁を囲んで形成されてもよい。
【００１９】
上記強化用隔壁は，上記表示領域の四つの縁を囲んで形成されてもよい。
【００２０】
上記強化用隔壁の厚みと上記メイン隔壁の厚みとは略同一にすることができる。
【００２１】
上記強化用隔壁は，その中央部から両周辺部へ行くほどその幅が小さく形成されてもよい。
【００２２】
上記強化用隔壁の外郭周辺の形状は，円弧形状であってもよい。
【００２３】
上記強化用隔壁の外郭周辺の形状は，複数個の円弧の組み合わせた形状であってもよい。
【００２４】
上記強化用隔壁は，上記複数個の円弧に対応する部分の厚みを互いに異なるようにして形成することができる。
【００２５】
上記円弧に対応する部分のうちの厚みの薄い部分は，上記メイン隔壁より薄い厚みを有する。
【００２６】
上記複数個の円弧のうちの一つの円弧部分は，上記メイン隔壁によって形成される一つの放電空間または少なくとも２つ以上の放電空間に対応して配置可能である。
【００２７】
また，上記課題を解決するために，本発明の別の観点によれば，互いに対向配置される第１基板および第２基板と，第１基板に形成されるアドレス電極と，第１基板および第２基板の間で，この基板に設定される表示領域内に配置されて放電セルを形成するメイン隔壁と，各々の放電セル内に形成される蛍光層と，第２基板に形成される複数の放電維持電極と，表示領域の少なくとも一方の側の端部と対向する非表示領域内に配置されるダミー隔壁とを含み，ダミー隔壁が，メイン隔壁の端部と任意の間隔を維持しながら表示領域の一方向に沿って形成されるメインダミー隔壁と，このメインダミー隔壁からメイン隔壁に向かって任意の曲率で延びてメイン隔壁に連結される連結ダミー隔壁とを含むプラズマディスプレイパネルが提供される。
【００２８】
上記ダミー隔壁は，上記表示領域を中心に，この表示領域の対向する両端部側に形成される非表示領域内に配置され，上記メインダミー隔壁を前記アドレス電極と直交する方向に沿って形成することができる。
【００２９】
上記ダミー隔壁は，上記表示領域を中心に，この表示領域の対向する他の両端部側に形成される非表示領域内に配置され，上記メインダミー隔壁を前記アドレス電極と平行な方向に沿って形成することができる。
【００３０】
上記メインダミー隔壁は，複数の弧部が一列に組み合わされた形状からなることができ，この弧部を基板の外側に向かって膨らんだ状態に配置することができる。
【００３１】
上記弧部は，上記連結ダミー隔壁と略同一な曲率で形成されてもよい。
【００３２】
上記メインダミー隔壁と連結ダミー隔壁とは，互いに組み合わされて一つの弧部を構成することができる。
【００３３】
上記ダミー隔壁は，上記メイン隔壁と対向するメインダミー隔壁の一方の側に位置する補助ダミー隔壁をさらに含み，この補助ダミー隔壁は，前記弧部と略同一な曲率で上記メイン隔壁に向かって延長された形態に形成可能である。
【００３４】
このような補助ダミー隔壁は，互いに隣接する２つの連結ダミー隔壁の間で一対として備えられてもよい。
【００３５】
上記メイン隔壁とダミー隔壁との間には分離隔壁を位置することができ，この分離隔壁は，上記メインダミー隔壁と並んで配置されてもよい。
【００３６】
上記メイン隔壁は，上記アドレス電極と平行な帯状パターンに形成されてもよい。
【００３７】
上記メイン隔壁は，上記アドレス電極と平行な方向の第１隔壁部材とアドレス電極と直交する方向の第２隔壁部材とを含む格子パターンに形成されてもよい。
【発明の効果】
【００３８】
本発明によれば，焼成過程においてメイン隔壁が表示領域内側に向かって収縮する際，ダミー隔壁の連結部がメイン隔壁と共に移動するのでメイン隔壁の陥没を抑制することができる。したがって，本発明は，メイン隔壁と前面基板との間の隙間発生を最小化して騷音発生を抑制する効果があり，メイン隔壁の端部とダミー隔壁の形状変化を抑制して隔壁の均一性を向上することができる
【発明を実施するための最良の形態】
【００３９】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００４０】
図１は，本発明の第１実施形態に係るプラズマディスプレイパネル（ＰＤＰ）の部分分解斜視図であり，図２は，図１のＡ矢印方向から見たＰＤＰの部分結合断面図である。図３は，本発明の第１実施形態に係るプラズマディスプレイパネル（ＰＤＰ）の平面図である。
【００４１】
図１および図３によると，ＰＤＰ２の構造は，２枚の透明な第１基板４と第２基板６とを任意の間隔をおいて略平行に配置し，この基板の間で放電メカニズムによって画像を実現する構成を備える。両基板に挟まれた空間は，画像を表示する表示領域２４と，その外側周辺の非表示領域２６に分けられる。
【００４２】
図１により，具体的には，まず，第１基板４上の表示領域２４には，誘電層８で覆われる複数のアドレス電極１０が帯状パターンに形成される。
【００４３】
そして，第１基板４に対向する第２基板６の一方の面には，上記アドレス電極１０と直交状態に配置されると同時に透明誘電層１２で覆われる放電維持電極１４が，互いに平行な帯状パターンに形成される。この放電維持電極１４は，ＩＴＯ（Ｉｎｄｉｕｍ  Ｔｉｎ  Ｏｘｉｄｅ；インジウムスズ酸化物）などのような透明材質から構成される。
【００４４】
また，透明誘電層１２の上にはＭｇＯ（Ｍａｇｎｅｓｉｕｍ  Ｏｘｉｄｅ；酸化マグネシウム）などからなる透明保護膜１６が形成され，第１基板４と第２基板６との間の空間には，隣接アドレス電極１０の間に，このアドレス電極１０と平行に位置する複数のメイン隔壁１８が設置される。さらに，このメイン隔壁１８の側面と誘電層８の上面にはＲ（赤色），Ｇ（緑色）およびＢ（青色）蛍光体からなる蛍光層２０が備えられる。
【００４５】
図１では，メイン隔壁１８の形状が帯状パターンであるが，本発明においては，メイン隔壁１８の形状はこれに限定されず，例えば，格子パターンのような他の形状でも形成可能である。
【００４６】
隣接するメイン隔壁１８の間には，放電空間が形成され，この放電空間内部に放電ガス（図示せず）が注入されて放電セル２２を構成する。このメイン隔壁１８は図３に示したように，第１基板４および第２基板６の上に設定される表示領域２４内に位置する。
【００４７】
ここで，ＰＤＰ２には，メイン隔壁１８とともに，放電セル２２が備えられていない非表示領域２６に強化隔壁２８が形成されている。強化隔壁２８は，第１基板４および第２基板６の外側に向かって凸状に曲がった少なくとも一つの曲がり部（例えば，角または円弧）を外郭周辺の形状として有し，表示領域２４の周縁を囲んでメイン隔壁１８に連結されて強度を高める強化隔壁２８Ａ，強化隔壁２８Ｂ（一括して２８とする）が配置される。なお，強化隔壁２８は，必ずしも，全周を囲まなくてもよい。
【００４８】
強化隔壁２８は，表示領域２４の任意の一つの縁に近接し，または，互いに対向する二つの縁を囲むように位置することができ，または表示領域２４の四辺（四つの縁）全てを囲むように位置することもできる。以下では，強化隔壁２８が表示領域２４の四つの縁を囲むことを例として，強化隔壁２８の構成について具体的に説明する。
【００４９】
図４は，強化隔壁を説明するためのメイン隔壁と強化隔壁の概略図であり，本実施形態では，強化隔壁２８をメイン隔壁１８が位置する表示領域２４の四つの縁を囲んで非表示領域２６上でメイン隔壁１８の側面または端面に密着配置することができる。
【００５０】
本発明に係るＰＤＰの第１実施形態ににおいて，強化隔壁２８を，第１基板および第２基板の長軸方向（図４のＸ方向）に沿った水平強化隔壁２８Ａと，第１基板および第２基板の短軸方向（図４のＹ方向）に沿った垂直強化隔壁２８Ｂとに分類すれば，水平強化隔壁２８Ａは，メイン隔壁１８の両端部と密着しながらこのメイン隔壁１８と垂直に配置でき，垂直強化隔壁２８Ｂは，メイン隔壁１８のうちの最外郭隔壁１８ａと密着しながらこのメイン隔壁１８と平行に配置できる。
【００５１】
水平強化隔壁２８Ａおよび垂直強化隔壁２８Ｂは互いに同じ厚みで形成され，その厚みは，メイン隔壁１８の厚さと同じでもよい。なお，ここに記す厚みとは，一般に使う壁の高さと同意であり，各図面のＺ軸方向の寸法である。
【００５２】
そして，水平強化隔壁２８Ａおよび垂直強化隔壁２８Ｂは中央部の幅（ｎＶ，ｎＨ）が最も大きく，両周辺部へ行くほど幅が小さくなる形状に構成される。これは，水平強化隔壁２８Ａおよび垂直強化隔壁２８Ｂの長さ方向に沿ってその幅が変化するように形成すれば，表示領域２４の縁に外力が加わった場合に，強化隔壁２８が外力をより効率的に分散できるからである。これにより，強化隔壁２８を構成する各々の水平強化隔壁２８Ａおよび垂直強化隔壁２８Ｂは，第１基板４および第２基板６の外側に向かう外郭周辺の形状を任意曲率の円弧形状に形成できる。
【００５３】
このような強化隔壁２８は，例えばメイン隔壁１８と同一な材質で形成され，スクリーンプリントなどの方法によって第１基板４上にメイン隔壁１８が形成される際，このメイン隔壁１８と共に形成できる。
【００５４】
強化隔壁２８を有するＰＤＰ２は，互いに対向する第１基板４と第２基板６とを結合し，その周囲をフリット３０で封着して一つのディスプレイパネルとして構成される。図５は本発明の第１実施形態に係るＰＤＰを採用した画像表示装置の分解斜視図であり，図５に示したように，複数の駆動回路基板を搭載するシャーシベース３２にＰＤＰ２が固定され、ＰＤＰ２とシャーシベース３２の前方，後方にフロントキャビネット３４とバックカバー３６とが一体に組み立てられて画像表示装置を構成する。
【００５５】
このように構成されるＰＤＰ２は，アドレス電極１０と一方の放電維持電極（Ｙ電極）との間にアドレス電圧（Ｖａ）を印加して任意の放電セル２２を選択した後，この放電セル２２に位置する放電維持電極対（Ｘ電極、Ｙ電極）の間にサステイン電圧（Ｖｓ）を印加して放電セル２２内にプラズマ放電を起こすことにより，当該放電セルの蛍光層２０を励起させて任意の画像を実現する。
【００５６】
このような画像表示装置は，外部から曲がり，ねじれ，衝撃，および振動のような外力を受ける場合，外力は１次的にシャーシベース３２によって吸収され，このシャーシベース３２によって吸収できなかった外力を強化隔壁２８によって吸収し，メイン隔壁１８に外力が伝わらないようにする。
【００５７】
つまり，ＰＤＰ２は，前述した強化隔壁２８により，外力が集中する縁の強度が強化されると共に外力を吸収でき，これによりメイン隔壁１８の破損を防止することができる。これに対する具体的な実験結果は，後述する表１と表２を通じて説明する。
【００５８】
以下では，図６〜図９を参照して，本発明の第1実施形態に対する変形例について説明する。
【００５９】
図６は第１変形例であって，この場合のＰＤＰ２は前述した第１実施形態の構造を基本としながら，水平強化隔壁２８Ａと垂直強化隔壁２８Ｂの外郭周辺の形状が一つの曲率を有する円弧でなく，互いに異なる曲率中心を有する２つ以上の円弧を組み合わせた形状に構成することができる。
【００６０】
このように水平強化隔壁２８Ａおよび垂直強化隔壁２８Ｂの外郭周辺の形状を２つ以上の円弧が組み合わされた形状に形成すれば，水平強化隔壁２８Ａおよび垂直強化隔壁２８ＢがＰＤＰ２に加わった外力を効果的に分散させ，ＰＤＰ２の構造強度を高めることができる。
【００６１】
図７は第２変形例であって，この場合は，前述した第１変形例の構造を基本としながら，水平強化隔壁２８Ａまたは垂直強化隔壁２８Ｂのうちの互いに異なる曲率中心を有する円弧部分を，便宜上第１サブ強化隔壁３８と第２サブ強化隔壁４０とに区分すれば，第１サブ強化隔壁３８および第２サブ強化隔壁４０は、互いに異なる厚み（ｔ１，ｔ２）を有する。
【００６２】
第１サブ強化隔壁３８および第２サブ強化隔壁４０のうちの相対的に厚みの厚いサブ強化隔壁（例えば，第２サブ強化隔壁４０）はメイン隔壁１８と同じ厚みで形成でき，相対的に厚みの薄いサブ強化隔壁（例えば，第１サブ強化隔壁３８）はメイン隔壁１８より薄い厚みに形成されることが好ましい。
【００６３】
このように第１サブ強化隔壁３８および第２サブ強化隔壁４０を互いに異なる厚みに形成した本変形例では，相対的に厚みの薄いサブ強化隔壁（例えば，第１サブ強化隔壁３８）隙間を生じ，メイン隔壁１８によって形成される放電セル２２を一部開放させて外部空間に連通し，これによってＰＤＰ２の製造工程において，ＰＤＰ２内部を排気する際の排気効率を高めることができる。
【００６４】
図８は第３変形例であって，この場合は，ＰＤＰ２は前述した第１実施形態の構造を基本としながら，水平強化隔壁２８Ａと垂直強化隔壁２８Ｂとが互いに異なる曲率中心を有する複数の円弧部４２および円弧部４４を組み合わせた形状に形成でき，水平強化隔壁２８Ａと垂直強化隔壁２８Ｂとを構成する円弧部４２および円弧部４４は，各々任意の幅（ｎＶ，ｎＨ）を有する。
【００６５】
特に，水平強化隔壁２８Ａを構成する各々の円弧部４２は，メイン隔壁１８によって形成される放電セル２２に一対一に対応でき，第４変形例を示した図９のように，一つ以上の放電セル２２，例えば，Ｒ，ＧおよびＢ３個の放電セル２２に対応できるように備えてもよい。
【００６６】
このように水平強化隔壁２８Ａおよび垂直強化隔壁２８Ｂを複数の円弧部４２および円弧部４４で構成した変形例では，ＰＤＰ２に外力が加わった場合，水平強化隔壁２８Ａおよび垂直強化隔壁２８Ｂを構成する各々の円弧部４２および円弧部４４がこの外力をより効果的に分散させ，ＰＤＰ２の構造強度を高めることができる。
【００６７】
次の表１は，ＰＤＰとシャーシベースとの結合体に対する曲がり実験結果を示したものである。下記の表において，比較例は本発明による強化隔壁を備えていないＰＤＰ，実施例１〜５は前述した第１実施形態の強化隔壁を備えたＰＤＰ，実施例６〜１０は前述した第３変形例の強化隔壁を備えたＰＤＰに対するものであり，比較例と実施例１〜１０全てに同一なシャーシベースが採用された。
【００６８】
そして，表１において，実施例１〜５のｎＶとｎＨは，各々水平強化隔壁２８Ａと垂直強化隔壁２８Ｂの中央部の幅を示し（図４参照），実施例６〜１０のｎＶとｎＨは，各々水平強化隔壁２８Ａと垂直強化隔壁２８Ｂとを構成する円弧部４２および円弧部４４の幅を示す（図８参照）。
【００６９】
また，表１において，破損荷重は，ＰＤＰとシャーシベースが（二つとも）破損するまでシャーシベース中央部に加わった力を示し，垂れ量は，前記破損荷重によるＰＤＰとシャーシベースの破損時の最大垂れ量を示す。
【００７０】
【表１】
2004319486.tif 000003
【００７１】
表１に示すように，強化隔壁を備えていない比較例に対し，第１実施形態の強化隔壁を備えた実施例１〜５で破損荷重が最大約１.９８倍、垂れ量が最大約５.２倍と高くなり，第３変形例の強化隔壁を備えた実施例６〜１０で破損荷重が最大約２.１７倍，垂れ量が最大約６.２２倍と高くなることが分かる。
【００７２】
したがって，このような実験結果によると，強化隔壁によってＰＤＰの構造強度が補強され，曲がり荷重に対する支持力が強化されたことを確認でき，前述した第１実施形態の強化隔壁より第３変形例の強化隔壁がＰＤＰの曲がり荷重に対する強度補強にさらに有効であることが分かる。
【００７３】
次の表２は，ＰＤＰとシャーシベースの結合体に対するねじれ実験結果を示したものである。ここで，比較例と実施例１〜５および実施例６〜１０の条件は前述した曲がり実験の場合と同一である。ねじれ実験は，ＰＤＰとシャーシベース結合体の一方の側端部を完全に固定させ，他の一側端部の左側角部にボールベアリングジグを設置した状態で右側角部に垂直荷重を加える方法によってねじれ荷重を印加した。
【００７４】
下記の表２において，破損荷重は，ＰＤＰとシャーシベースが破損するまでここに加わった垂直荷重を示し，垂れ量は，破損荷重によるＰＤＰとシャーシベースの破損時の最大垂れ量を示す。
【００７５】
【表２】
2004319486.tif 000004
【００７６】
表２に示されているように，強化隔壁を備えていない比較例の場合より第１実施形態の強化隔壁を備えた実施例１〜５で破損荷重が最大約１.５５倍，垂れ量が最大約１.７８倍と高くなることが分かり，第３変形例の強化隔壁を備えた実施例６〜１０で破損荷重が最大約１.７０倍，垂れ量が最大約１.９４倍と高くなることが分かる。
【００７７】
したがって，前述した実験結果によると，強化隔壁によってＰＤＰの構造強度が補強され，ねじれ荷重に対する支持力が強化されたことが確認でき，前述した第１実施形態の強化隔壁より第３変形例の強化隔壁がＰＤＰのねじれ荷重に対する強度補強にさらに有効であることが分かる。
【００７８】
このように本発明に係る強化隔壁によってＰＤＰの構造強度が高まることにより，曲がり，ねじれ，衝撃，および振動のような外力がＰＤＰに印加された場合に隔壁の崩れのようなＰＤＰの破損を最小化することができる。したがって，シャーシベースが吸収できない外力がＰＤＰに印加されてもＰＤＰの破損を抑制して，ＰＤＰ破損による放電セルの機能低下を抑制することができる。
【００７９】
以下では，本発明に係るＰＤＰの第２実施形態について説明する。
【００８０】
図１０と図１１は，本発明の第２実施形態に係るＰＤＰの部分分解斜視図と概略平面図である。
【００８１】
図１０を参照すれば，このＰＤＰも前述した第１実施形態のＰＤＰと同様に，第１基板５２と第２基板５４とが任意の間隔をおいて互いに対向配置され，両基板の間には放電セル５６Ｒ，５６Ｇおよび５６Ｂが備えられて，各放電セル５６の独立的な放電メカニズムによる可視光放出によって任意のカラー映像を実現する。
【００８２】
上記構成を具体的に見ると，まず，第１基板５２の内面には第一方向（図１０のＹ方向）に沿ってアドレス電極５８が形成され，このアドレス電極５８を覆いながら第１基板５２の内面全体に下部誘電層６０が形成される。アドレス電極５８は，例えば帯状パターンからなり，隣接したアドレス電極５８と任意の間隔をおいて並んで形成される。
【００８３】
下部誘電層６０の上には，メイン隔壁６２，例えばアドレス電極５８と平行な帯状パターンのメイン隔壁６２が形成され，この隔壁６２の側面と誘電層６０上面には赤，緑および青色の蛍光層６４Ｒ，蛍光層６４Ｇおよび蛍光層６４Ｂが備えられる。メイン隔壁６２は，各々のアドレス電極５８の間でこのアドレス電極５８と並んで位置し，第１基板５２と第２基板５４との間で所定の高さ（厚み）で形成されて放電空間を形成する。この時，メイン隔壁６２の形状は帯状パターンに限定されず，例えば，格子またはその以外の形状に形成されてもよい。
【００８４】
そして，第１基板５２に対向する第２基板５４の内面には，アドレス電極５８と直交する方向（図１０のＸ方向）に沿って走査電極６６と表示電極６８とからなる放電維持電極７０が形成され，この放電維持電極７０を覆いながら第２基板５４の内面全体に上部誘電層７２とＭｇＯなどから構成される保護膜７４が位置する。
【００８５】
これでアドレス電極５８と放電維持電極７０との交差部分が一つの放電セル５６を構成し，放電セル５６Ｒ，放電セル５６Ｇおよび放電セル５６Ｂの内部は放電ガス（Ｎｅ−Ｘｅ；ネオン−キセノン混合ガス）で満たされる。
【００８６】
この実施形態で放電維持電極７０は，帯状パターンからなって各放電セルに一対が対応するバス電極６６ａ，バス電極６８ａと，このバス電極６６ａ，バス電極６８ａから各放電セル５６Ｒ，放電セル５６Ｇおよび放電セル５６Ｂの内部を向かって延び，一対が対向するように形成される突出電極６６ｂ，突出電極６８ｂとから構成される。この突出電極６６ｂ，突出電極６８ｂはＩＴＯなどより構成された透明電極が好ましく，バス電極６６ａ，バス電極６８ａは銀（Ａｇ）などより構成された金属電極が好ましい。
【００８７】
この場合，メイン隔壁６２が形成される位置は，図１０および図１１に示されているように，第１基板５２と第２基板５４の上に設定される表示領域７６である。また，上記ＰＤＰでは，表示領域７６を囲む非表示領域、特に表示領域７６を中心に，この表示領域７６の対向する端部（図１１基準に上下側）と対向するダミー領域７８にダミー隔壁をさらに形成することができる。
【００８８】
このようなダミー領域７８は，表示領域７６内の最外郭放電セルで起こり得る放電不均一のエッジ効果を抑制するために導入された領域であって，本発明でダミー領域７８に位置するダミー隔壁は，表示領域７６の誤放電を低減する固有な機能と共に，メイン隔壁６２とダミー隔壁がパターニングされた後に高温で焼成する際，メイン隔壁６２がその一部分を陥没させて形状変化を起こすことを抑制できるように形成される。
【００８９】
図１２は，図１０に示したＰＤＰを概略的に示した部分平面図である。図１２を参照すれば，ダミー隔壁８０は，メイン隔壁６２と直交する方向（図１２のＸ方向）に沿って複数の弧部を一列に組み合わせたメインダミー隔壁８２と，メイン隔壁６２と対向するメインダミー隔壁８２の一側でメイン隔壁６２に向かって延び，メインダミー隔壁８２とメイン隔壁６２の端部６２ａを連結する連結ダミー隔壁８４とを含む。
【００９０】
メインダミー隔壁８２は，弧部の曲率中心がメイン隔壁６２に向かって存在するように，言い換えれば第１基板５２および第２基板５４の外側に向かって膨らんだ状態に配置されるように形成されてもよい。そして，連結ダミー隔壁８４は，好ましくは，メインダミー隔壁８２を構成する弧部からこれと略同一な曲率でメイン隔壁６２に向かって延長された形態に構成できる。
【００９１】
これでダミー隔壁８０は，メインダミー隔壁８２の弧部と連結ダミー隔壁部８４とが組み合わされて他の弧部を構成する形状をなし，メインダミー隔壁８２と連結ダミー隔壁８４の幅（ｗ）は約８０μｍ程度が好ましい。
【００９２】
このように，本実施形態でダミー隔壁８０は，メインダミー隔壁８２と連結ダミー隔壁８４とからなってメイン隔壁６２の端部６２ａを連結するが，このようなダミー隔壁８０は，鋭い角部ではなく，任意の曲率を有する弧の形状からなり，特に，連結ダミー隔壁８４がメインダミー隔壁８２から任意の曲率でメイン隔壁６２に向かって配置されて，メインダミー隔壁８２とメイン隔壁６２とを滑らかに連結することができる。
【００９３】
したがって，上記のように構成されるダミー隔壁８０は，ＰＤＰの製造工程において焼成過程によってメイン隔壁６２が表示領域７６の中心に向かって収縮する場合，連結ダミー隔壁８４がメイン隔壁６２の収縮方向に沿って移動してメイン隔壁６２の陥没（厚みの収縮）を抑制し，さらに，ダミー隔壁８０の変形を最小化するので，メイン隔壁端部６２ａでの均一性を確保することができる。
【００９４】
これを具体的に説明すると，ＰＤＰの製造工程時，第１基板５２の下部誘電層６０上面に隔壁形成物質を塗布し，公知のサンドブラスト法，プレス法，または感光物質を用いたエッチング法により前述したメイン隔壁６２とダミー隔壁８０を形成できるように隔壁形成物質をパターニングした後，これを約４５０℃以上の高温で焼成する際，メイン隔壁６２の端部６２ａは表示領域７６の内側に向かって収縮する力（図１２の矢印参照）を受け，表示領域７６の内側に向かって移動する。
【００９５】
この過程で，ダミー隔壁８０の連結ダミー隔壁８４が任意の曲率でメイン隔壁６２に向かって形成されているので，メイン隔壁６２の端部６２ａが表示領域７６の内側に向かって移動する際に連結ダミー隔壁８４が共に移動し，このメイン隔壁６２の端部６２ａが陥没されるのを抑制することができる。したがって，メイン隔壁６２はアドレス電極５８の方向に沿って均一な高さで形成され，メイン隔壁６２と前面基板６４との間には隙間の発生が抑制されて，ＰＤＰの騷音発生を低減することができる。
【００９６】
下記の表３は，従来技術によるダミー隔壁を備えたＰＤＰ（比較例，図１６参照）と，前述したダミー隔壁８０を備えた本実施形態によるＰＤＰの各々で，ＰＤＰの前面騷音と後面騷音を測定した結果を示している。
【００９７】
【表３】
2004319486.tif 000005
【００９８】
表３に示されているように，本実施形態に係るＰＤＰが従来技術によるＰＤＰより前面騷音と後面騷音が全て減少したことを確認できる。
【００９９】
以下では，図１３〜図１５を参照して，本発明の第２実施形態に対する変形例について説明する。
【０１００】
図１３は第１変形例であって，この場合は，前述した第２実施形態の構造を基本としながら，ダミー隔壁８０Ａがメイン隔壁６２と対向するメインダミー隔壁８２の一側に補助ダミー隔壁８６をさらに形成してＰＤＰを構成することができる。補助ダミー隔壁８６は連結ダミー隔壁８４と同様に，メインダミー隔壁８２を構成する弧部からこれと略同一な曲率でメイン隔壁６２に向かって延長された形態に構成され，これは隣接した２つの連結ダミー隔壁８４の間に一対に配置される構成を有することができる。
【０１０１】
このような補助ダミー隔壁８６は，ダミー隔壁８０Ａをさらに堅固にして，ＰＤＰの製造工程時に隔壁に対する所定の過程でメイン隔壁６２が表示領域内側に向かって収縮する場合にダミー隔壁８０Ａの支持力を向上させて，このダミー隔壁８０Ａの形状変化を抑制することができる。したがって，本変形例によるＰＤＰでは，メイン隔壁端部６２ａの均一性が向上してＰＤＰの製造品質を高めることが可能である。
【０１０２】
図１４は第２実施形態の第２変形例であって，この場合は，前述した第１変形例の構造を基本としながら，メイン隔壁６２とダミー隔壁８０Ｂとの間に分離隔壁８８がさらに形成されてＰＤＰを構成する。
【０１０３】
分離隔壁８８は，メイン隔壁６２と直交する方向（図１４のＸ方向）に沿って形成されてメイン隔壁６２の端部６２ａを連結し，前述した補助ダミー隔壁８６と同様に，ダミー隔壁８０Ｂをさらに堅くなるようにすることができる。
【０１０４】
図１５は第２実施形態の第３変形例であって，この場合は，前述した第２変形例の構造を基本としながら，ダミー隔壁８０Ｃと分離隔壁８８とが表示領域を基準に，この表示領域の対向する他の端辺（例えば，図１５を基準に左側端部および右側端部）側に配置されてＰＤＰを構成する。
【０１０５】
図１５では，例えばメイン隔壁６２と共に表示領域の左側端部と対向する余裕領域に配置されたダミー隔壁８０Ｃと分離隔壁８８を示しており，メイン隔壁６２は，例えばアドレス電極方向（図１５のＹ方向）に沿った第１隔壁部材６２ｂと，アドレス電極と直交する方向（図１５のＸ方向）に沿った第２隔壁部材６２ｃとを含む格子形状に構成できる。
【０１０６】
このように前述したダミー隔壁８０，ダミー隔壁８０Ａ〜８０Ｃと分離隔壁８８は，表示領域の上下側端部と左側端部および右側端部のうちの少なくともある一つの端部と接して位置する。特に，メイン隔壁６２が格子形状に形成される場合，メインダミー隔壁８２と分離隔壁８８が第２隔壁部材６２ｃと直交する方向に沿って形成されるように，ダミー隔壁８０Ｃと分離隔壁８８を表示領域の左側端部および右側端部と対向する余裕領域内に配置して，メイン隔壁６２の左側端部および右側端部での形状変化を抑制することが好ましい。
【０１０７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【０１０８】
【図１】本発明の第１実施形態に係るプラズマディスプレイパネルの部分分解斜視図である。
【図２】図１のＡ矢印方向から見たプラズマディスプレイパネルの部分結合断面図である。
【図３】本発明の第１実施形態に係るプラズマディスプレイパネルの平面図である。
【図４】図１に示したメイン隔壁と強化隔壁の概略図である。
【図５】本発明の第１実施形態に係るプラズマディスプレイパネルを採用した画像表示装置の分解斜視図である。
【図６】本発明の第１実施形態に対する第１変形例を説明するための強化隔壁の概略図である。
【図７】本発明の第１実施形態に対する第２変形例を説明するためのプラズマディスプレイパネルの部分結合断面図である。
【図８】本発明の第１実施形態に対する第３変形例を説明するための強化隔壁の概略図である。
【図９】本発明の第１実施形態に対する第４変形例を説明するための強化隔壁の概略図である。
【図１０】本発明の第２実施形態に係るプラズマディスプレイパネルの部分分解斜視図である。
【図１１】本発明の第２実施例に係るプラズマディスプレイパネルの平面図である。
【図１２】図１０に示したプラズマディスプレイパネルの部分平面図である。
【図１３】本発明の第２実施形態に対する第１変形例を説明するためのプラズマディスプレイパネルの部分平面図である。
【図１４】本発明の第２実施形態に対する第２変形例を説明するためのプラズマディスプレイパネルの部分平面図である。
【図１５】本発明の第２実施形態に対する第３変形例を説明するためのプラズマディスプレイパネルの部分平面図である。
【図１６】従来技術に係るプラズマディスプレイパネルの部分平面図である。
【図１７】図１６のＡ−Ａ線の断面図である。
【図１８】焼成後の隔壁の形状変化を示した従来技術に係るプラズマディスプレイパネルの部分平面図である。
【図１９】従来技術に係るプラズマディスプレイパネルの断面図である。
【符号の説明】
【０１０９】
１，１８，６２  メイン隔壁
１ａ，６２ａ  メイン隔壁の端部
２  ＰＤＰ
３  ダミー隔壁
４，５２  第１基板
５  隔壁
６，５４  第２基板
８，１２，６０，７２  誘電層
９  前面基板
１０，５８  アドレス電極
１１  隙間
１３  背面基板
１４，７０  放電維持電極
１６，７４  保護膜
２０  蛍光層
２２，５６  放電セル
２４，７６  表示領域
２６  非表示領域
２８  強化用隔壁
３０  フリット
３２  シャーシベース
３４  フロントキャビネット
３６  バックカバー
３８  第１サブ強化隔壁
４０  第２サブ強化隔壁
４２，４４  円弧部
６２ｂ  第１隔壁部材
６２ｃ  第２隔壁部材
６６  走査電極
６６ａ，６８ａ  バス電極
６６ｂ，６８ｂ  突出電極
６８  表示電極
７８  ダミー領域
８０  ダミー隔壁
８２  メインダミー隔壁
８４  連結ダミー隔壁
８６  補助ダミー隔壁
８８  分離隔壁
【図１】
2004319486.tif 000006
【図２】
2004319486.tif 000007
【図３】
2004319486.tif 000008
【図４】
2004319486.tif 000009
【図５】
2004319486.tif 000010
【図６】
2004319486.tif 000011
【図７】
2004319486.tif 000012
【図８】
2004319486.tif 000013
【図９】
2004319486.tif 000014
【図１０】
2004319486.tif 000015
【図１１】
2004319486.tif 000016
【図１２】
2004319486.tif 000017
【図１３】
2004319486.tif 000018
【図１４】
2004319486.tif 000019
【図１５】
2004319486.tif 000020
【図１６】
2004319486.tif 000021
【図１７】
2004319486.tif 000022
【図１８】
2004319486.tif 000023
【図１９】
2004319486.tif 000024